(57)【要約】【課題】電線の分岐に係る設計の変更に対して柔軟に対応可能であり且つ容易に製造可能なプロテクタ及びプロテクタ付ワイヤーハーネスを提供する。【解決手段】電線を保護するためのプロテクタは、第１電線保護部と、第２電線保護部と、４つ以上の開口部と、保持用部材と、を備えている。ここで、第２電線保護部は、第１電線保護部との間に電線を収容可能な収容空間を挟んで配置されている。４つ以上の開口部は、第１電線保護部と第２電線保護部との間に形成されており、収容空間と該収容空間の外に位置する外部空間との間で電線を通過させることが可能な開口をそれぞれ形成している。保持用部材は、４つ以上の開口部のうちの３つ以上の開口部のそれぞれに対して、前記収容空間から離れる方向に延在されており且つ電線を保持するために取り付けることができる。【選択図】図１
2017200415.tif 000002
【特許請求の範囲】
【請求項１】
電線を保護するためのプロテクタであって、
第１電線保護部と、
前記第１電線保護部との間に電線を収容可能な収容空間を挟んで配置されている第２電線保護部と、
前記第１電線保護部と前記第２電線保護部との間に形成されており、前記収容空間と該収容空間の外に位置する外部空間との間で電線を通過させることが可能な開口をそれぞれ形成している４つ以上の開口部と、
前記４つ以上の開口部のうちの３つ以上の開口部のそれぞれに対して、前記収容空間から離れる方向に延在されており且つ電線を保持するために取り付けることができる保持用部材と、を備えた、プロテクタ。
【請求項２】
請求項１に記載のプロテクタであって、
前記４つ以上の開口部のうちの３つ以上の開口部のそれぞれに対して、各前記開口を閉鎖するために取り付けることができる閉鎖用部材、をさらに備えた、プロテクタ。
【請求項３】
請求項１又は請求項２に記載のプロテクタであって、
前記保持用部材が、
前記収容空間から離れる方向に延在する溝部を含み、
前記溝部が、
該溝部の内周に沿って延在している突起部を有しており、
前記突起部が、
環状の凸部と環状の凹部とが交互に配された管状の部材のうちの前記環状の凹部に嵌合することで、前記管状の部材を前記保持用部材に保持させることができる、プロテクタ。
【請求項４】
請求項１から請求項３の何れか１つの請求項に記載のプロテクタであって、
前記３つ以上の開口部が、前記第１電線保護部と前記第２電線保護部とが離間している方向に沿って延在している柱状部を挟んで隣り合う第１開口部と第２開口部とを含み、
前記保持用部材が、
前記第１開口部に対して取り付けられる際に、前記柱状部の外周部の延伸方向に沿った第１区間に取り付けることが可能な第１取付部と、前記第２開口部に対して取り付けられる際に、前記柱状部の外周部の前記延伸方向に沿った前記第１区間とは異なる第２区間に対して取り付けることが可能な第２取付部と、を有する、プロテクタ。
【請求項５】
請求項２に記載のプロテクタであって、
前記３つ以上の開口部が、前記第１電線保護部と前記第２電線保護部とが離間している方向に沿って延在している柱状部を挟んで隣り合う第１開口部と第２開口部とを含み、
前記閉鎖用部材が、
前記第１開口部に対して取り付けられる際に、前記柱状部の外周部の延伸方向に沿った第１区間に取り付けることが可能な第１取付部と、前記第２開口部に対して取り付けられる際に、前記柱状部の外周部の前記延伸方向に沿った前記第１区間とは異なる第２区間に対して取り付けることが可能な第２取付部と、を有する、プロテクタ。
【請求項６】
請求項２に記載のプロテクタであって、
前記３つ以上の開口部が、前記第１電線保護部と前記第２電線保護部とが離間している方向に沿って延在している柱状部を挟んで隣り合う第１開口部と第２開口部とを含み、
前記閉鎖用部材及び前記保持用部材のそれぞれが、
前記第１開口部に対して取り付けられる際に、前記柱状部の外周部の延伸方向に沿った第１区間に取り付けることが可能な第１取付部と、前記第２開口部に対して取り付けられる際に、前記柱状部の外周部の前記延伸方向に沿った前記第１区間とは異なる第２区間に対して取り付けることが可能な第２取付部と、を有する、プロテクタ。
【請求項７】
請求項１から請求項６の何れか１つの請求項に記載のプロテクタと、
前記４つ以上の開口部のうちの少なくとも３つの開口部を通過する少なくとも３本の電線を含む電線群と、を備えたプロテクタ付ワイヤーハーネス。
【請求項８】
請求項７に記載のプロテクタ付ワイヤーハーネスであって、
前記３つ以上の開口部が、
前記電線群に含まれる電線がそれぞれ通過しているとともに、該電線又は該電線の外周を囲む管状の部材が保持されている前記保持用部材がそれぞれ取り付けられている２以上の開口部、を含んでいる、プロテクタ付ワイヤーハーネス。
【請求項９】
請求項２、請求項５及び請求項６の何れか１つの請求項に記載のプロテクタと、
前記４つ以上の開口部のうちの少なくとも３つの開口部を通過する少なくとも３本の電線を含む電線群と、を備え、
前記３つ以上の開口部が、
前記電線群に含まれる電線がそれぞれ通過している少なくとも２つの開口部と、前記閉鎖用部材が取り付けられて前記開口が閉鎖されている開口部と、を含んでいる、プロテクタ付ワイヤーハーネス。
【発明の詳細な説明】
【技術分野】
【０００１】
この発明は、車両等に配設される電線を保護する技術に関する。
【背景技術】
【０００２】
車両等に配設される電線には、保護及び経路規制等を目的として、その周囲にプロテクタが装着される場合がある。また、車両等に配設される電線には、幹線から枝線が分岐している部分もある。このため、幹線から枝線が分岐している分岐部分を保護及び覆うことを目的として、分岐部分がプロテクタに収容される場合がある。
【０００３】
但し、この幹線から分岐する枝線の数及び分岐する方向等は、プロテクタが配設される対象物（配設対象物とも言う）の種類（車種等）に応じて異なり得る。これに対して、配設対象物の種類の数だけプロテクタを製造しようとすると、例えば、多数の種類の金型の準備及び金型の交換等が必要となり、少なくとも製造装置及び製造工程の複雑化を招く。
【０００４】
そこで、電線束が引き出される位置及びその数、並びに引き出される電線束の径が多様に変化する多種類のワイヤーハーネスに共用可能なプロテクタが、例えば、特許文献１に記載されている。
【０００５】
この特許文献１に記載されたプロテクタでは、プロテクタ本体の溝側壁が単位側壁板の集成からなり、収納したワイヤーハーネスの分岐電線束の分岐形態に適する単位側壁板が倒伏されることで、分岐電線束がプロテクタ本体の溝体側方へ自在に引き出され得る。
【先行技術文献】
【特許文献】
【０００６】
【特許文献１】特開平８−２５１７５４号公報
【発明の概要】
【発明が解決しようとする課題】
【０００７】
しかしながら、特許文献１に記載のプロテクタでは、例えば、プロテクタ本体の溝側壁が倒伏自在の複数の単位側壁板によって予め構成されているため、プロテクタの構成が複雑であるとともに、プロテクタを構成する素材の使用量の増大を招く。すなわち、プロテクタの製造が容易でない。
【０００８】
本発明は、上記課題に鑑みてなされたものであり、電線の分岐に係る設計の変更に対して柔軟に対応可能であり且つ容易に製造可能なプロテクタ及びプロテクタ付ワイヤーハーネスを提供することを目的とする。
【課題を解決するための手段】
【０００９】
上記課題を解決するために、第１の態様に係るプロテクタは、電線を保護するためのプロテクタであって、第１電線保護部と、前記第１電線保護部との間に電線を収容可能な収容空間を挟んで配置されている第２電線保護部と、前記第１電線保護部と前記第２電線保護部との間に形成されており、前記収容空間と該収容空間の外に位置する外部空間との間で電線を通過させることが可能な開口をそれぞれ形成している４つ以上の開口部と、前記４つ以上の開口部のうちの３つ以上の開口部のそれぞれに対して、前記収容空間から離れる方向に延在されており且つ電線を保持するために取り付けることができる保持用部材と、を備えている。
【００１０】
第２の態様に係るプロテクタは、第１の態様に係るプロテクタであって、前記４つ以上の開口部のうちの３つ以上の開口部のそれぞれに対して、各前記開口を閉鎖するために取り付けることができる閉鎖用部材、をさらに備えている。
【００１１】
第３の態様に係るプロテクタは、第１又は第２の態様に係るプロテクタであって、前記保持用部材が、前記収容空間から離れる方向に延在する溝部を含み、前記溝部が、該溝部の内周に沿って延在している突起部を有しており、前記突起部が、環状の凸部と環状の凹部とが交互に配された管状の部材のうちの前記環状の凹部に嵌合することで、前記管状の部材を前記保持用部材に保持させることができる。
【００１２】
第４の態様に係るプロテクタは、第１から第３の何れか１つの態様に係るプロテクタであって、前記３つ以上の開口部が、前記第１電線保護部と前記第２電線保護部とが離間している方向に沿って延在している柱状部を挟んで隣り合う第１開口部と第２開口部とを含み、前記保持用部材が、前記第１開口部に対して取り付けられる際に、前記柱状部の外周部の延伸方向に沿った第１区間に取り付けることが可能な第１取付部と、前記第２開口部に対して取り付けられる際に、前記柱状部の外周部の前記延伸方向に沿った前記第１区間とは異なる第２区間に対して取り付けることが可能な第２取付部と、を有する。
【００１３】
第５の態様に係るプロテクタは、第２の態様に係るプロテクタであって、前記３つ以上の開口部が、前記第１電線保護部と前記第２電線保護部とが離間している方向に沿って延在している柱状部を挟んで隣り合う第１開口部と第２開口部とを含み、前記閉鎖用部材が、前記第１開口部に対して取り付けられる際に、前記柱状部の外周部の延伸方向に沿った第１区間に取り付けることが可能な第１取付部と、前記第２開口部に対して取り付けられる際に、前記柱状部の外周部の前記延伸方向に沿った前記第１区間とは異なる第２区間に対して取り付けることが可能な第２取付部と、を有する。
【００１４】
第６の態様に係るプロテクタは、第２の態様に係るプロテクタであって、前記３つ以上の開口部が、前記第１電線保護部と前記第２電線保護部とが離間している方向に沿って延在している柱状部を挟んで隣り合う第１開口部と第２開口部とを含み、前記閉鎖用部材及び前記保持用部材のそれぞれが、前記第１開口部に対して取り付けられる際に、前記柱状部の外周部の延伸方向に沿った第１区間に取り付けることが可能な第１取付部と、前記第２開口部に対して取り付けられる際に、前記柱状部の外周部の前記延伸方向に沿った前記第１区間とは異なる第２区間に対して取り付けることが可能な第２取付部と、を有する。
【００１５】
第７の態様に係るプロテクタ付ワイヤーハーネスは、第１から第６の何れか１つの態様に係るプロテクタと、前記４つ以上の開口部のうちの少なくとも３つの開口部を通過する少なくとも３本の電線を含む電線群と、を備えている。
【００１６】
第８の態様に係るプロテクタ付ワイヤーハーネスは、第７の態様に係るプロテクタ付ワイヤーハーネスであって、前記３つ以上の開口部が、前記電線群に含まれる電線がそれぞれ通過しているとともに、該電線又は該電線の外周を囲む管状の部材が保持されている前記保持用部材がそれぞれ取り付けられている２以上の開口部、を含んでいる。
【００１７】
第９の態様に係るプロテクタ付ワイヤーハーネスは、第２、第５及び第６の何れか１つの態様に係るプロテクタと、前記４つ以上の開口部のうちの少なくとも３つの開口部を通過する少なくとも３本の電線を含む電線群と、を備え、前記３つ以上の開口部が、前記電線群に含まれる電線がそれぞれ通過している少なくとも２つの開口部と、前記閉鎖用部材が取り付けられて前記開口が閉鎖されている開口部と、を含んでいる。
【発明の効果】
【００１８】
第１から第６の何れの態様に係るプロテクタによっても、例えば、４つ以上の開口部のうちの３つ以上の開口部のそれぞれに対して、電線を保持するための保持用部材を取り付けることができる。このため、例えば、電線の分岐の増減等に対して、保持用部材をプロテクタの３つ以上の開口部に対して選択的に後付けすることで、開口部への電線の保持を可能とする出っ張り部分が選択的に取り付けられ得る。これにより、例えば、プロテクタの小型化並びに素材の使用量の低減が図られる。すなわち、プロテクタの製造が容易となる。したがって、電線の分岐に係る設計の変更に対して柔軟に対応可能であり且つ容易に製造可能なプロテクタが実現され得る。
【００１９】
第２の態様に係るプロテクタによっても、例えば、４つ以上の開口部のうちの３つ以上の開口部のそれぞれに対して、閉鎖用部材を取り付けることで開口を閉鎖することができる。このため、例えば、電線の分岐の増減等に対して、閉鎖用部材をプロテクタの３つ以上の開口部に対して選択的に後付けすることで、開口部の開閉状態を選択的に設定することが可能である。したがって、電線の分岐に係る設計の変更に対して柔軟に対応可能であり且つ容易に製造可能なプロテクタが実現され得る。
【００２０】
第３の態様に係るプロテクタによれば、例えば、電線を周囲から保護するコルゲートチューブが保持用部材に保持され得る。このため、例えば、電線の分岐の増減等に対して、保持用部材をプロテクタの３つ以上の開口部に対して選択的に後付けすることで、開口部への電線の保持を可能とする複雑な構造を有する出っ張り部分が選択的に取り付けられ得る。これにより、例えば、プロテクタを容易に製造することが可能となる。
【００２１】
第４から第６の何れの態様に係るプロテクタによっても、例えば、隣り合う開口部の間の１つの柱状部が、隣り合う開口部に対する部材の取り付けに共用されることで、隣り合う開口部を仕切る部分が有効利用され得る。これにより、プロテクタに対して設けられる開口部の位置及び数などの自由度が向上するとともに、プロテクタの製造に要する素材の使用量が低減され得る。
【００２２】
第７から第９の何れの態様に係るプロテクタ付ワイヤーハーネスによっても、例えば、電線の分岐の増減等に対して、保持用部材をプロテクタの３つ以上の開口部に対して選択的に後付けすることで、開口部への電線の保持を可能とする出っ張り部分が選択的に取り付けられ得る。これにより、例えば、プロテクタの小型化並びに素材の使用量の低減が図られる。すなわち、プロテクタの製造が容易となる。したがって、電線の分岐に係る設計の変更に対して柔軟に対応可能であり且つ容易に製造可能なプロテクタ付ワイヤーハーネスが実現され得る。
【００２３】
第８の態様に係るプロテクタ付ワイヤーハーネスによっても、例えば、電線群において枝分かれして開口部を通過する枝線が、保持用部材によって安定して保持され得る。
【００２４】
第９の何れの態様に係るプロテクタ付ワイヤーハーネスによっても、例えば、電線を通過させない開口部に、閉鎖用部材が取り付けられることで、プロテクタの内部における電線の分岐部分が覆われ得る。これにより、例えば、電線の分岐部分が良好に保護され得るとともに、プロテクタ付ワイヤーハーネスの外観から受ける信頼性が向上し得る。
【図面の簡単な説明】
【００２５】
【図１】一実施形態に係るワイヤーハーネスを示す概略斜視図である。
【図２】一実施形態に係るプロテクタを概略的に示す分解斜視図である。
【図３】一実施形態に係るプロテクタの蓋部を示す概略平面図である。
【図４】一実施形態に係るプロテクタの底部を示す概略底面図である。
【図５】プロテクタに取り付け可能な閉鎖用部材を示す概略斜視図である。
【図６】プロテクタに取り付け可能な保持用部材を示す概略斜視図である。
【図７】プロテクタへの閉鎖用部材の取り付けが可能な位置を示す概略平面図である。
【図８】プロテクタへの保持用部材の取り付けが可能な位置を示す概略平面図である。
【図９】プロテクタにおける閉鎖用部材、保持用部材及びコルゲートチューブの取り付け態様を示す概略図である。
【図１０】プロテクタにおける閉鎖用部材、保持用部材及びコルゲートチューブの取り付け態様を示す概略図である。
【図１１】プロテクタにおける閉鎖用部材、保持用部材及びコルゲートチューブの取り付け態様を示す概略図である。
【図１２】第１の変形例に係るプロテクタの蓋部を示す概略平面図である。
【図１３】第１の変形例に係るプロテクタの底部を示す概略底面図である。
【図１４】第２の変形例に係るプロテクタの蓋部を示す概略平面図である。
【図１５】第２の変形例に係るプロテクタの底部を示す概略底面図である。
【図１６】第３の変形例に係る閉鎖用部材の取り付け態様を示す概略平面図である。
【図１７】第３の変形例に係る閉鎖用部材の取り付け態様を示す概略平面図である。
【発明を実施するための形態】
【００２６】
＜１．一実施形態＞
以下、一実施形態に係るワイヤーハーネス１及びプロテクタ２について説明する。なお、図面においては同様な構成および機能を有する部分については同じ符号が付されており、下記説明では重複説明が省略される。図面は模式的に示されたものであり、各図における各種構造のサイズおよび位置関係等は適宜変更され得る。
【００２７】
＜１−１．ワイヤーハーネスの概要＞
図１は、一実施形態に係るワイヤーハーネス１を例示する概略斜視図である。図２は、一実施形態に係るプロテクタ２を概略的に例示する分解斜視図である。図３は、一実施形態に係るプロテクタ２の蓋部２ｕを例示する概略平面図である。図４は、一実施形態に係るプロテクタ２の底部２ｂを例示する概略底面図である。図５は、プロテクタ２に取り付け可能な閉鎖用部材５を例示する概略斜視図である。図６は、プロテクタ２に取り付け可能な保持用部材６を例示する概略斜視図である。図７は、プロテクタ２への閉鎖用部材５の取り付けが可能な位置を例示する概略平面図である。図８は、プロテクタ２への保持用部材６の取り付けが可能な位置を例示する概略平面図である。図９から図１１は、プロテクタ２における閉鎖用部材５、保持用部材６及びコルゲートチューブ４の取り付け態様を示す概略図である。なお、図１から図４、図７及び図８、並びに後述する図１２から図１７には、プロテクタ２の１つの開口部Ｗ１（Ｗ１７）が開口している方向を＋Ｘ方向とし、プロテクタ２の蓋部２ｕが設けられている方向を＋Ｚ方向とする、右手系のＸＹＺ座標系が付されている。
【００２８】
一実施形態に係るワイヤーハーネス１は、例えば、プロテクタ２と、電線群３と、コルゲートチューブ４とを備えている。また、プロテクタ２には、取り付け可能な閉鎖用部材５と、保持用部材６が含まれる。ワイヤーハーネス１は、例えば、電源供給或いは信号通信に用いられる複数の電線が束にされた集合部品である。なお、プロテクタ２が取り付けられたワイヤーハーネス１は、例えば、プロテクタ付ワイヤーハーネスとも称される。
【００２９】
＜１−２．電線群＞
電線群３は、例えば、車両等に配索されて、各種電気部品同士を電気的に接続する配線材として用いられる。電線群３は、例えば、複数の電線が束ねられたものであり、プロテクタ２内に導入される１本以上の電線（被導入線とも言う）３ｅと、プロテクタ２内から導出される１本以上の電線（被導出線とも言う）３ｏと、を含んでいる。例えば、１本の被導入線３ｅと１本の被導出線３ｏが幹線とされ、該幹線から１以上の枝線が枝分かれして、該１以上の枝線が被導出線３ｏとしてプロテクタ２から導出される態様が考えられる。また、例えば、１本の被導入線３ｅが幹線とされ、該幹線から２以上の枝線が枝分かれして、該２以上の枝線のそれぞれが被導出線３ｏとしてプロテクタ２から導出される態様が考えられる。
【００３０】
図１の例では、１本の被導入線３ｅがプロテクタ２内に導入され、１本の被導入線３ｅが枝分かれした２本の枝線としての２本被導出線３ｏがプロテクタから導出されている。ここでは、１本の被導入線３ｅは、複数本の電線によって構成されている。このとき、被導入線３ｅとしては、複数本の電線が束ねられたもの（電線束とも言う）が採用され得る。また、被導出線３ｏは、例えば、１本の電線で構成されてもよいし、２本以上の電線が束ねられた電線束で構成されてもよい。
【００３１】
電線群３には、光ファイバーケーブル等が含まれていてもよい。図１、図１０及び図１１には、被導入線３ｅ及び被導出線３ｏの概形が描かれている。
【００３２】
＜１−３．コルゲートチューブ＞
コルゲートチューブ４は、長手方向に山部４ｐと谷部４ｒとが連続して形成された外周部を有している。コルゲートチューブ４は、筒状に形成されている。具体的には、コルゲートチューブ４では、山部４ｐは、谷部４ｒよりも径方向に突出する環状の凸部であり、谷部４ｒは、山部４ｐよりも径方向に凹んでいる環状の凹部である。山部４ｐと谷部４ｒとは、コルゲートチューブ４の長手方向に沿って交互に形成されている。すなわち、コルゲートチューブ４は、環状の凸部と環状の凹部とが交互に配された外形を有している管状の部材である。ここでは、コルゲートチューブ４の長手方向に直交する方向に沿って切断した断面は、例えば、円形状であっても、楕円形状等のその他の形状であってもよい。
【００３３】
コルゲートチューブ４の素材としては、例えば、樹脂等のある程度の柔軟性を有し且つ弾性変形が可能な素材が採用され得る。該樹脂には、例えば、ゴム等が含まれる。この場合、例えば、コルゲートチューブ４は、環状の凸部と環状の凹部との間の段部等で比較的容易に弾性変形するため、全体として曲げ変形が容易な性質を有している。
【００３４】
コルゲートチューブ４は、例えば、電線群３のうち、被導入線３ｅ及び各被導出線３ｏの周囲をそれぞれ覆うことで、被導入線３ｅ及び各被導出線３ｏを保護することができる。ここで、例えば、コルゲートチューブ４に、長手方向に沿ったスリットが形成されていれば、該スリットが割り開かれて、該コルゲートチューブ４の内部の空間に電線（ここでは、被導入線３ｅ又は被導出線３ｏ）が収容され得る。また、例えば、コルゲートチューブ４にスリットが形成されていなければ、該コルゲートチューブ４の一方側の開口から他方側の開口に向けて電線（ここでは、被導入線３ｅ又は被導出線３ｏ）が中通しされてもよい。これらの何れの構成が採用されても、コルゲートチューブ４が電線（ここでは、被導入線３ｅ又は被導出線３ｏ）に外装され得る。
【００３５】
＜１−４．プロテクタの構成＞
プロテクタ２は、例えば、複数の電線を含む電線群３の外周部を保護することが可能な部材である。また、プロテクタ２は、例えば、電線群３を構成する被導入線３ｅ及び被導出線３ｏの配設経路を規制することが可能である。ここで、プロテクタ２の素材として、例えば、樹脂等の適度な剛性を有する素材が採用され、プロテクタ２の厚さ及び形状が調整されれば、プロテクタ２による電線群３の保護及び配設経路の規制が実現され得る。プロテクタ２の素材としての樹脂には、例えば、プラスチックス等が含まれる。プロテクタ２は、例えば、左右又は上下から接離可能な一対の金型を用いた樹脂の一体成型等によって製造され得る。なお、プロテクタ２は、例えば、３Ｄプリンタ等によっても成型され得る。
【００３６】
プロテクタ２は、例えば、底部２ｂと、蓋部２ｕと、複数の連結部Ｐ１と、閉鎖用部材５と、保持用部材６と、を備えている。
【００３７】
底部２ｂは、例えば、プロテクタ２内に配される電線群３を第１方向（ここでは、−Ｚ側）から保護することが可能な部分（第１電線保護部とも言う）である。
【００３８】
蓋部２ｕは、例えば、プロテクタ２内に配される電線群３を第２方向（ここでは、＋Ｚ側）から保護することが可能な部分（第２電線保護部とも言う）である。
【００３９】
底部２ｂと蓋部２ｕとは、電線を収容可能な空間（収容空間とも言う）Ｓｐ１を挟んで離間している。換言すれば、蓋部２ｕは、底部２ｂとの間に収容空間Ｓｐ１を挟んで配置されている。
【００４０】
複数の連結部Ｐ１は、底部２ｂと蓋部２ｕとを連結している部材である。隣り合う連結部Ｐ１は、隣り合う連結部Ｐ１の間に、収容空間Ｓｐ１と該収容空間Ｓｐ１の外に位置する外部空間との間で電線を通過させることが可能な開口を形成している。ここでは、各開口は、底部２ｂと蓋部２ｕとの間に形成されているため、隣り合う連結部Ｐ１が、底部２ｂの外縁と蓋部２ｕの外縁とによって、開口を形成している部分（開口部とも言う）Ｗ１を構成している。すなわち、プロテクタ２は、複数（ここでは、８つ）の開口部Ｗ１を備えている。
【００４１】
本実施形態では、例えば、底部２ｂ及び蓋部２ｕのそれぞれが、８角形状の外形を有する板状の部材によって構成されている。上方（ここでは、＋Ｚ側）から平面透視した場合、底部２ｂの全ての角部と蓋部２ｕの全ての角部とが重なり合うように、底部２ｂと蓋部２ｕとが配置されている。そして、ここでは、例えば、底部２ｂと蓋部２ｕとが略平行に配置されている。また、底部２ｂと蓋部２ｕとは、８つの角部又はその近傍において、連結部Ｐ１によって連結されている。連結部Ｐ１は、例えば、底部２ｂから蓋部２ｕにかけて延伸している柱状の部材（柱状部とも言う）によって構成されている。連結部Ｐ１としては、例えば、延伸方向（ここでは、＋Ｚ方向）を軸方向とする円柱状の部材が採用され得る。
【００４２】
具体的には、図２及び図３で示されるように、例えば、蓋部２ｕのうちの底部２ｂ側の面（ここでは、−Ｚ側の下面）に、複数の棒状の部材（棒状部とも言う）２ｐが立設されている。本実施形態では、棒状部２ｐは、例えば、円柱状の部材である。図２及び図３の例では、蓋部２ｕの下面における各角部又はその近傍に、それぞれ棒状部２ｐが立設されている。つまり、蓋部２ｕの下面には、８本の棒状部２ｐが立設されている。
【００４３】
一方、図２及び図４で示されるように、例えば、底部２ｂのうちの蓋部２ｕ側の面（ここでは、＋Ｚ側の上面）に、複数の円筒状の部材（円筒部とも言う）２ｃが立設されている。図２及び図４の例では、底部２ｂの上面における各角部又はその近傍に、それぞれ円筒部２ｃが立設されている。つまり、底部２ｂの上面には、８本の円筒部２ｃが立設されている。各円筒部２ｃの先端部には、円形の開口が形成されている。
【００４４】
蓋部２ｕの１本の棒状部２ｐは、底部２ｂの１本の円筒部２ｃの内部空間に挿入されることで嵌合され得る。ここでは、１本の棒状部２ｐが、１本の円筒部２ｃに挿入されて嵌合されることで、１本の柱状の連結部Ｐ１が形成される。なお、円筒部２ｃは、棒状部２ｐが嵌合可能であれば、例えば、円筒状でなく角筒状等の他の筒状であってもよい。
【００４５】
ここで、上方（ここでは、＋Ｚ方向）から平面透視した場合、底部２ｂの上面に設けられる８本の円筒部２ｃは、時計回りの順番で設けられているＮ番目（Ｎは１〜８の自然数）の円筒部２ｃＮ（具体的には、８つの円筒部２ｃ１〜２ｃ８）を含み、蓋部２ｕの下面に設けられる８本の棒状部２ｐは、時計回りの順番で設けられているＮ番目（Ｎは１〜８の自然数）の棒状部２ｐＮ（具体的には、８つの棒状部２ｐ１〜２ｐ８）を含む。
【００４６】
そして、Ｎ番目の棒状部２ｐがＮ番目の円筒部２ｃに挿入されて嵌合されることで、Ｎ番目の連結部Ｐ１Ｎ（具体的には、８つの連結部Ｐ１１〜Ｐ１８）が形成され得る。換言すれば、８つの連結部Ｐ１には、上方（ここでは、＋Ｚ方向）から平面透視した場合、時計回りの順番で設けられている１〜８番目の連結部Ｐ１１〜Ｐ１８が含まれている。
【００４７】
また、このとき、Ｎ−１番目の連結部Ｐ１（Ｎ−１）と、Ｎ番目の連結部Ｐ１Ｎとによって、Ｎ番目の開口部Ｗ１Ｎが構成される。例えば、１番目の連結部Ｐ１１と２番目の連結部Ｐ１２とによって、２番目の開口部Ｗ１２が構成され、２番目の連結部Ｐ１２と３番目の連結部Ｐ１３とによって、３番目の開口部Ｗ１３が構成されている。３番目の連結部Ｐ１３と４番目の連結部Ｐ１４とによって、４番目の開口部Ｗ１４が構成され、４番目の連結部Ｐ１４と５番目の連結部Ｐ１５とによって、５番目の開口部Ｗ１５が構成されている。５番目の連結部Ｐ１５と６番目の連結部Ｐ１６とによって、６番目の開口部Ｗ１６が構成され、６番目の連結部Ｐ１６と７番目の連結部Ｐ１７とによって、７番目の開口部Ｗ１７が構成されている。７番目の連結部Ｐ１７と８番目の連結部Ｐ１８とによって、８番目の開口部Ｗ１８が構成され、８番目の連結部Ｐ１８と１番目の連結部Ｐ１１とによって、１番目の開口部Ｗ１１が構成されている。これにより、８つの開口部Ｗ１（具体的には、１〜８番目の開口部Ｗ１１〜Ｗ１８）が構成されている。
【００４８】
閉鎖用部材５は、例えば、開口部Ｗ１に形成された開口を閉鎖するための部材であり、各開口部Ｗ１に取り付けることができる。
【００４９】
図５で示されるように、閉鎖用部材５は、例えば、本体部５ｃ１と、第１取付部５ｃｂと、第２取付部５ｃｕと、を備えている。本体部５ｃ１は、開口を塞ぐための部分であり、例えば、平板状の部分で構成され得る。第１取付部５ｃｂ及び第２取付部５ｃｕは、それぞれ、閉鎖用部材５を開口部Ｗ１に取り付けるための部分である。ここでは、例えば、第１取付部５ｃｂは、本体部５ｃ１の側方の一端部のうちの下方の部分に設けられており、第２取付部５ｃｕは、本体部５ｃ１の側方の一端部とは逆の他端部の上方の部分に設けられている。第１取付部５ｃｂは、円筒状の部分であり、貫通孔５ｈｂを有している。第２取付部５ｃｕは、円筒状の部分であり、貫通孔５ｈｕを有している。
【００５０】
ここで、図１、図２、図９から図１１等で示されるように、例えば、底部２ｂの円筒部２ｃに蓋部２ｕの棒状部２ｐが挿入される際に、第１取付部５ｃｂの貫通孔５ｈｂに、円筒部２ｃと棒状部２ｐとが挿通されることで、連結部Ｐ１に第１取付部５ｃｂが取り付けられ得る。また、このとき、例えば、第２取付部５ｃｕの貫通孔５ｈｕに、円筒部２ｃと棒状部２ｐとが挿通されることで、連結部Ｐ１に第２取付部５ｃｕが取り付けられ得る。これにより、閉鎖用部材５が、開口部Ｗ１に取り付けられ得る。したがって、本実施形態では、図７で示されるように、８つの開口部Ｗ１（第１〜８開口部Ｗ１１〜Ｗ１８）のそれぞれに対して、選択的に閉鎖用部材５が取り付けられ得る。
【００５１】
保持用部材６は、例えば、電線を保持するための部材であり、収容空間Ｓｐ１から離れる方向に延在されるように各開口部Ｗ１に取り付けることができる。つまり、例えば、８つの開口部Ｗ１のそれぞれに対して、電線を保持するための保持用部材６を取り付けることができる。このため、電線の分岐の増減等に対して、保持用部材６をプロテクタ２の８つの開口部Ｗ１に対して選択的に後付けすることで、開口部Ｗ１への電線の保持を可能とする出っ張り部分が選択的に取り付けられ得る。これにより、例えば、プロテクタ２の小型化並びに素材の使用量の低減が図られる。すなわち、プロテクタ２の製造が容易となる。
【００５２】
図６で示されるように、保持用部材６は、例えば、本体部６ｃ１と、第１取付部６ｃｂと、第２取付部６ｃｕと、を備えている。本体部６ｃ１は、電線を保持するための部分である。本実施形態では、本体部６ｃ１は、例えば、電線（具体的には、被導入線３ｅ又は被導出線３ｏ）の外周を囲むコルゲートチューブ４を保持することで、間接的に電線を保持することができる。本体部６ｃ１は、溝部６ｇｒを含んでいる。溝部６ｇｒは、例えば、保持用部材６が開口部Ｗ１に取り付けられた状態において、収容空間から離れる方向に延在する。溝部６ｇｒには、例えば、該溝部６ｇｒの内周に沿って延在している突起部６ｐｒが設けられている。突起部６ｐｒは、コルゲートチューブ３の谷部４ｒに嵌合することで、コルゲートチューブ４を保持用部材６に安定して保持させることが可能である。ここで、例えば、溝部６ｇｒに複数本の突起部６ｐｒが形成されていれば、コルゲートチューブ４が保持用部材６に強固に保持され得る。
【００５３】
このような溝部６ｇｒを有する保持用部材６が採用される場合、電線群３における電線の分岐の増減等に対して、保持用部材６をプロテクタ２の８つの開口部Ｗ１に対して選択的に後付けすることで、開口部Ｗ１への電線の保持を可能とする複雑な構造を有する出っ張り部分が選択的に取り付けられ得る。これにより、例えば、プロテクタ２を容易に製造することが可能となる。
【００５４】
第１取付部６ｃｂ及び第２取付部６ｃｕは、上述した閉鎖用部材５の第１取付部５ｃｂ及び第２取付部５ｃｕと同様な構成を有している。具体的には、第１取付部６ｃｂ及び第２取付部６ｃｕは、それぞれ、保持用部材６を開口部Ｗ１に取り付けるための部分である。ここでは、第１取付部６ｃｂ及び第２取付部６ｃｕは、本体部６ｃ１のうちの溝部６ｇｒの延在方向の一端部を挟む位置に設けられている。より具体的には、例えば、第１取付部６ｃｂは、本体部６ｃ１の側方の一端部のうちの下方の部分に設けられており、第２取付部６ｃｕは、本体部６ｃ１の側方の一端部とは逆の他端部の上方の部分に設けられている。第１取付部６ｃｂは、円筒状の部分であり、貫通孔６ｈｂを有している。第２取付部６ｃｕは、円筒状の部分であり、貫通孔６ｈｕを有している。
【００５５】
ここで、図１、図２、図９から図１１等で示されるように、例えば、底部２ｂの円筒部２ｃに蓋部２ｕの棒状部２ｐが挿入される際に、第１取付部６ｃｂの貫通孔６ｈｂに、円筒部２ｃと棒状部２ｐとが挿通されることで、連結部Ｐ１に第１取付部６ｃｂが取り付けられ得る。また、このとき、例えば、第２取付部６ｃｕの貫通孔６ｈｕに、円筒部２ｃと棒状部２ｐとが挿通されることで、連結部Ｐ１に第２取付部６ｃｕが取り付けられ得る。これにより、保持用部材６が、開口部Ｗ１に取り付けられ得る。したがって、本実施形態では、図８で示されるように、８つの開口部Ｗ１（第１〜８開口部Ｗ１１〜Ｗ１８）のそれぞれに対して、選択的に保持用部材６が取り付けられ得る。
【００５６】
ところで、図７から図１１で示されるように、柱状部としての連結部Ｐ１を挟んで隣り合う２つの開口部Ｗ１に対して閉鎖用部材５及び保持用部材６の何れかが取り付けられる場合には、１つの連結部Ｐ１が隣り合う開口部Ｗ１に対する部材の取り付けに共用される。ここで、１番目の開口部（第１開口部ともいう）Ｗ１１と２番目の開口部（第２開口部とも言う）Ｗ１２とに対して、それぞれ閉鎖用部材５及び保持用部材６の何れかが取り付けられる場合を例に挙げて説明する。
【００５７】
例えば、第１開口部Ｗ１１と第２開口部Ｗ１２とに対して、それぞれ閉鎖用部材５が取り付けられる際には、連結部Ｐ１（ここでは、連結部Ｐ１１）の外周部の延伸方向（ここでは、＋Ｚ方向）に沿った第１区間Ｚ１に第１取付部５ｃｂが取り付けられる。また、このとき、連結部Ｐ１（ここでは、連結部Ｐ１１）の外周部の延伸方向（ここでは、＋Ｚ方向）に沿った第１区間Ｚ１とは異なる第２区間Ｚ２に第２取付部５ｃｕが取り付けられる。本実施形態では、図９から図１１で示されるように、連結部Ｐ１の底部２ｂ側の区間を第１区間Ｚ１とし、連結部Ｐ１の蓋部２ｕ側の区間を第２区間Ｚ２としている。
【００５８】
また、例えば、第１開口部Ｗ１１と第２開口部Ｗ１２とに対して、それぞれ保持用部材６が取り付けられる際には、連結部Ｐ１（ここでは、連結部Ｐ１１）の外周部の延伸方向（ここでは、＋Ｚ方向）に沿った第１区間Ｚ１に第１取付部６ｃｂが取り付けられる。また、このとき、連結部Ｐ１（ここでは、連結部Ｐ１１）の外周部の延伸方向（ここでは、＋Ｚ方向）に沿った第１区間Ｚ１とは異なる第２区間Ｚ２に第２取付部６ｃｕが取り付けられる。
【００５９】
つまり、各開口部Ｗ１に対して閉鎖用部材５及び保持用部材６の何れかが取り付けられる場合、隣り合う開口部Ｗ１の間に位置する連結部Ｐ１のうちの第１区間Ｚ１には、閉鎖用部材５の第１取付部５ｃｂ又は保持用部材６の第１取付部６ｃｂが取り付けられる。また、この場合、隣り合う開口部Ｗ１の間に位置する連結部Ｐ１のうちの第２区間Ｚ２には、閉鎖用部材５の第２取付部５ｃｕ又は保持用部材６の第２取付部６ｃｕが取り付けられる。このように、例えば、隣り合う開口部Ｗ１の間の１つの連結部Ｐ１が、隣り合う開口部Ｗ１に対する部材の取り付けに共用されることで、隣り合う開口部Ｗ１を仕切る部分が有効利用され得る。つまり、連結部Ｐ１の小型化が可能となる。これにより、プロテクタ２に対して設けられる開口部Ｗ１の位置及び数などの自由度が向上するとともに、プロテクタ２の製造に要する素材の使用量も低減され得る。
【００６０】
＜１−５．ワイヤーハーネスの製造＞
ここで、本実施形態に係るワイヤーハーネス１の製造の手順について説明する。
【００６１】
まず、例えば、図９から図１０で示されるように、底部２ｂに立設される円筒部２ｃに対して、閉鎖用部材５及び保持用部材６の何れかが取り付けられる。このとき、円筒部２ｃが、閉鎖用部材５及び保持用部材６における貫通孔５ｈｂ，５ｈｕ，６ｈｂ，６ｈｕに対して、適宜挿通される。また、図１０で示されるように、底部２ｂ上に電線群３が配設され、電線（被導入線３ｅ又は被導出線３ｏ）の外周を囲むコルゲートチューブ４が、保持用部材６に取り付けられる。
【００６２】
その後、図１０から図１１で示されるように、蓋部２ｕに立設されている棒状部２ｐが、貫通孔５ｈｂ，５ｈｕ，６ｈｂ，６ｈｕに対して適宜挿通されるとともに、底部２ｂに立設されている円筒部２ｃに挿入されて嵌合される。これにより、ワイヤーハーネス１が完成し得る。
【００６３】
＜１−６．一実施形態のまとめ＞
以上のように、本実施形態に係るプロテクタ２によれば、例えば、８つの開口部Ｗ１のそれぞれに対して、閉鎖用部材５を取り付けることで各開口を閉鎖することができる。このため、電線の分岐の増減等に対して、閉鎖用部材５をプロテクタ２の８つの開口部Ｗ１に対して選択的に後付けすることで、開口部Ｗ１の開閉状態を選択的に設定することが可能である。ここで、例えば、プロテクタ２を製造する際に、底部２ｂ、蓋部２ｕ及び開口部Ｗ１によって構成されるプロテクタ２の本体部と、閉鎖用部材５とを別々に製造することが可能であるため、プロテクタ２の製造が容易である。したがって、電線の分岐に係る設計の変更に対して柔軟に対応可能であり且つ容易に製造可能なプロテクタ２が実現され得る。
【００６４】
そして、このようなプロテクタ２を用いることで、例えば、電線の分岐に係る設計の変更に対して柔軟に対応可能であり且つ容易に製造可能なワイヤーハーネス１が実現され得る。
【００６５】
また、このようなワイヤーハーネス１では、例えば、電線を通過させない開口部Ｗ１に、閉鎖用部材５が取り付けられることで、プロテクタ２の内部における電線の分岐部分が覆われ得る。このとき，例えば、ワイヤーハーネス１の見栄えが良くなる。その結果、例えば、電線の分岐部分が良好に保護され得るとともに、ワイヤーハーネス１の外観から受ける信頼性が向上し得る。
【００６６】
また、例えば、８つの開口部Ｗのそれぞれに対して、保持用部材６が取り付けられれば、電線群３において枝分かれして開口部を通過する枝線が、保持用部材６によって安定して保持され得る。このため、例えば、電線の分岐の増減等に対して、保持用部材６をプロテクタ２の３つ以上の開口部Ｗ１に対して選択的に後付けすることで、開口部Ｗ１への電線の保持を可能とする出っ張り部分が選択的に取り付けられ得る。ここで、例えば、プロテクタ２を製造する際に、底部２ｂ、蓋部２ｕ及び開口部Ｗ１によって構成されるプロテクタ２の本体部と、保持用部材６とを別々に製造することが可能であるため、プロテクタ２の製造が容易である。したがって、電線の分岐に係る設計の変更に対して柔軟に対応可能であり且つ容易に製造可能なプロテクタ２及び該プロテクタ２を用いたワイヤーハーネス１が実現され得る。
【００６７】
＜２．変形例＞
なお、本発明は上述の一実施形態に限定されるものではなく、本発明の要旨を逸脱しない範囲において種々の変更、改良等が可能である。
【００６８】
例えば、上記一実施形態において、底部２ｂと蓋部２ｕの形状として、８角形が採用される代わりに、その他の形状が採用されてもよい。例えば、図１２及び図１３で示されるように、上記一実施形態に係るプロテクタ２をベースとして、８角形の底部２ｂと蓋部２ｕが、４角形の底部２ｂＡと蓋部２ｕＡに変更されたプロテクタ２Ａが採用されてもよい。この場合、底部２ｂＡの円筒部２ｃと蓋部２ｕＡの棒状部２ｐとによって形成される４つの連結部Ｐ１が、４角形の底部２ｂＡと蓋部２ｕＡの４つの角部又はその近傍に設けられていれば、プロテクタ２Ａは、４つの開口部Ｗ１Ａを有することになる。
【００６９】
また、例えば、図１４及び図１５で示されるように、上記一実施形態に係るプロテクタ２をベースとして、８角形の底部２ｂと蓋部２ｕが、６角形の底部２ｂＢと蓋部２ｕＢに変更されたプロテクタ２Ｂが採用されてもよい。この場合、底部２ｂＢの円筒部２ｃと蓋部２ｕＢの棒状部２ｐとによって形成される６つの連結部Ｐ１が、６角形の底部２ｂＢと蓋部２ｕＢの６つの角部又はその近傍に設けられていれば、プロテクタ２Ｂは、６つの開口部Ｗ１Ｂを有することになる。
【００７０】
但し、まずは、被導入線３ｅがプロテクタ２，２Ａ，２Ｂに導入される開口部Ｗ１が必要である。また、例えば、被導入線３ｅから１以上の枝線が分岐する場合には、２以上の被導出線３ｏがプロテクタ２，２Ａ，２Ｂから導出される。このため、例えば、１つの開口部Ｗ１の開口を被導入線３ｅが通過し、３以上の開口部Ｗ１，Ｗ１Ａ，Ｗ１Ｂのうちの一部にあたる２以上の開口部Ｗ１，Ｗ１Ａ，Ｗ１Ｂの開口を被導出線３ｏが通過すればよい。
【００７１】
したがって、例えば、プロテクタ２，２Ａ，２Ｂでは、４つ以上の開口部Ｗ１，Ｗ１Ａ，Ｗ１Ｂのうちの３つ以上の開口部Ｗ１のそれぞれに対して、各開口を閉鎖するための閉鎖用部材５が取り付けることができれば、閉鎖用部材５をプロテクタ２の開口部Ｗ１，Ｗ１Ａ，Ｗ１Ｂに対して選択的に後付けすることで、開口部Ｗ１，Ｗ１Ａ，Ｗ１Ｂの開閉状態を選択的に設定することが可能である。
【００７２】
このとき、電線群３には、例えば、４つ以上の開口部Ｗ１，Ｗ１Ａ，Ｗ１Ｂのうちの少なくとも３つの開口部Ｗ１，Ｗ１Ａ，Ｗ１Ｂを通過する少なくとも３本の電線が含まれ得る。そして、閉鎖用部材５の取り付けが可能な３つ以上の開口部Ｗ１，Ｗ１Ａ，Ｗ１Ｂには、例えば、電線群３に含まれる電線がそれぞれ通過している少なくとも２つの開口部Ｗ１，Ｗ１Ａ，Ｗ１Ｂと、閉鎖用部材５が取り付けられて閉鎖されている開口部Ｗ１，Ｗ１Ａ，Ｗ１Ｂと、が含まれ得る。
【００７３】
また、例えば、プロテクタ２，２Ａ，２Ｂでは、４つ以上の開口部Ｗ１，Ｗ１Ａ，Ｗ１Ｂのうちの３つ以上の開口部Ｗ１のそれぞれに対して、電線を保持するための保持用部材６を取り付けることができれば、保持用部材６をプロテクタ２の開口部Ｗ１，Ｗ１Ａ，Ｗ１Ｂに対して選択的に後付けすることで、開口部Ｗ１，Ｗ１Ａ，Ｗ１Ｂへの電線の保持を可能とする出っ張り部分が選択的に取り付けられ得る。
【００７４】
このときも、電線群３には、例えば、４つ以上の開口部Ｗ１，Ｗ１Ａ，Ｗ１Ｂのうちの少なくとも３つの開口部Ｗ１，Ｗ１Ａ，Ｗ１Ｂを通過する少なくとも３本の電線が含まれ得る。そして、保持用部材６の取り付けが可能な３つ以上の開口部Ｗ１，Ｗ１Ａ，Ｗ１Ｂには、例えば、電線群３に含まれる電線がそれぞれ通過しているとともに、該電線（例えば、電線の外周を囲むコルゲートチューブ４）が保持されている保持用部材６が取り付けられた２以上の開口部Ｗ１，Ｗ１Ａ，Ｗ１Ｂが含まれ得る。
【００７５】
また、上記一実施形態及び上記各変形例では、全ての開口部Ｗ１に対して、閉鎖用部材５及び保持用部材６の何れかが取り付けられる場合に、１つの連結部Ｐ１が隣り合う開口部Ｗ１に対する部材の取り付けに共用されたが、これに限られない。例えば、隣り合う一組以上の開口部Ｗ１に対して、閉鎖用部材５及び保持用部材６の何れかが取り付けられる場合に、１つの連結部Ｐ１が隣り合う開口部Ｗ１に対する部材の取り付けに共用されれば、隣り合う開口部Ｗ１を仕切る部分が有効利用され得る。
【００７６】
また、上記一実施形態及び上記各変形例では、閉鎖用部材５及び保持用部材６における第１及び第２取付部５ｃｂ，５ｃｕ，６ｃｂ，６ｃｕに連結部Ｐ１が挿通されることで、開口部Ｗ１，Ｗ１Ａ，Ｗ１Ｂに対して閉鎖用部材５及び保持用部材６が取り付けられたが、これに限られない。例えば、閉鎖用部材５及び保持用部材６が、スリット等への挿入、嵌合、係合及び螺合等のその他の態様によって、開口部Ｗ１，Ｗ１Ａ，Ｗ１Ｂに対して取り付けられてもよい。
【００７７】
例えば、閉鎖用部材５における第１及び第２取付部５ｃｂ，５ｃｕが、円筒状であったが、これに限られず、図１６及び図１７で示されるように、半円筒状の第１及び第２取付部５ｃｂＣ，５ｃｕＣが採用されてもよい。このような構成では、例えば、開口部Ｗ１の正面から連結部Ｐ１に対して、第１及び第２取付部５ｃｂＣ，５ｃｕＣを嵌めることも可能である。なお、保持用部材６における第１及び第２取付部６ｃｂ，６ｃｕについても、例えば、円筒状ではなく、半円筒状の第１及び第２取付部に変更されてもよい。また、例えば、第１及び第２取付部５ｃｂ，５ｃｕ，６ｃｂ，６ｃｕは、円筒状ではなく、角筒状等のその他の筒状の部分であってもよい。
【００７８】
また、上記一実施形態及び上記各変形例においては、例えば、開口部Ｗ１，Ｗ１Ａ，Ｗ１Ｂに対して、閉鎖用部材５が取り付け可能であれば、保持用部材６は取り付け可能でなくても、電線の分岐に係る設計の変更に対して柔軟に対応可能であり且つ容易に製造可能なプロテクタ２が実現され得る。
【００７９】
一方、上記一実施形態及び上記各変形例においては、例えば、開口部Ｗ１，Ｗ１Ａ，Ｗ１Ｂに対して、保持用部材６が取り付け可能であれば、閉鎖用部材５は取り付け可能でなくても、電線の分岐に係る設計の変更に対して柔軟に対応可能であり且つ容易に製造可能なプロテクタ２が実現され得る。
【００８０】
また、上記一実施形態及び上記各変形例では、保持用部材６が、溝部６ｇｒを有していたが、これに限られず、例えば、保持用部材６が、延在方向に垂直な断面がＬ字状である部材であってもよい。この場合、例えば、電線を保護するコルゲートチューブ４等を、Ｌ字状の部材に沿わせて配置した後に、粘着性を有するテープ又はタイバンド等によって、Ｌ字状の部材に固定してもよい。更に、例えば、保持用部材６は、平板状等のその他の形状であってもよい。
【００８１】
このような場合には、例えば、電線（被導入線３ｅ及び被導出線３ｏ）の外周が、コルゲートチューブ４によって囲まれず、コルゲートチューブ以外の管状の部材等によって囲まれてもよい。また、例えば、電線の外周が管状の部材で囲まれず、保持用部材６に直接電線が保持されてもよい。
【００８２】
また、上記一実施形態及び上記各変形例では、底部２ｂ，２ｂＡ，２ｂＢと蓋部２ｕ，２ｕＡ，２ｕＢとが別体で構成されたが、例えば、底部２ｂ，２ｂＡ，２ｂＢに対して蓋部２ｕ，２ｕＡ，２ｕＢが蝶番等のヒンジ部によって回動自在に連結されてもよい。
【００８３】
また、上記一実施形態及び上記各変形例では、底部２ｂ，２ｂＡ，２ｂＢ及び蓋部２ｕ，２ｕＡ，２ｕＢのそれぞれが、１つの部材によって構成されたが、これに限られず、例えば、複数の部材の組合せによって構成されてもよい。
【００８４】
以上のように、この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８５】
１  ワイヤーハーネス
２，２Ａ，２Ｂ  プロテクタ
２ｂ，２ｂＡ，２ｂＢ  底部
２ｕ，２ｕＡ，２ｕＢ  蓋部
３  電線群
３ｅ  被導入線
３ｏ  被導出線
４  コルゲートチューブ
４ｐ  山部
４ｒ  谷部
５  閉鎖用部材
６  保持用部材
６ｇｒ  溝部
６ｐｒ  突起部
Ｐ１，Ｐ１１〜Ｐ１８，Ｐ１Ｎ  連結部
Ｓｐ１  収容空間
Ｗ１，Ｗ１Ａ，Ｗ１Ｂ，Ｗ１１〜Ｗ１８，Ｗ１Ｎ  開口部
Ｚ１  第１区間
Ｚ２  第２区間
【図１】
2017200415.tif 000003
【図２】
2017200415.tif 000004
【図３】
2017200415.tif 000005
【図４】
2017200415.tif 000006
【図５】
2017200415.tif 000007
【図６】
2017200415.tif 000008
【図７】
2017200415.tif 000009
【図８】
2017200415.tif 000010
【図９】
2017200415.tif 000011
【図１０】
2017200415.tif 000012
【図１１】
2017200415.tif 000013
【図１２】
2017200415.tif 000014
【図１３】
2017200415.tif 000015
【図１４】
2017200415.tif 000016
【図１５】
2017200415.tif 000017
【図１６】
2017200415.tif 000018
【図１７】
2017200415.tif 000019